(57)【要約】【課題】着色画素が光透過領域の着色層と、光反射領域の透明部を有する着色層とで構成されるカラーフィルタの製造にて、表面が平坦で、透明部と着色層部分の位置精度の優れたカラーフィルタを廉価に、容易に製造する半透過型液晶表示装置用カラーフィルタの製造方法を提供すること。【解決手段】基板１１上に無色透明フォトレジストを用いて透明部１７を形成し、その全面に着色フォトレジストを塗布し、フォトマスクを介して露光し、薄い膜厚を有する透明部上の着色フォトレジスト１８Ａを現像によって剥離し、透明部を着色フォトレジストから露出させた着色層１３を形成すること。【選択図】図１
2004212846.tif 000002
【特許請求の範囲】
【請求項１】
一画素中の着色画素が、光透過領域に形成された着色層と、光反射領域に形成され、透明部を有する着色層とで構成される半透過型液晶表示装置用カラーフィルタの製造方法において、
１）基板上に無色透明フォトレジストを用いて透明部を形成し、
２）該透明部が形成された基板上の全面に着色フォトレジストを塗布し、フォトマスクを介して露光し、
３）基板部分上の着色フォトレジストの膜厚より薄い膜厚を有する該透明部上の着色フォトレジストを、現像によって該透明部上から選択的に剥離し、該透明部を着色フォトレジストから露出させ、ベーキングを行い、着色層を形成し、
該透明部の表面と該着色層の表面とが面一で平坦、且つ該透明部と該着色層との位置精度が優れた着色画素を有するカラーフィルタを廉価に製造することを特徴とする半透過型液晶表示装置用カラーフィルタの製造方法。
【請求項２】
前記フォトマスクが、透明部上の着色フォトレジストに、現像による選択的な剥離を促進させる微小孔を形成するための微小孔パターンを有するフォトマスクであることを特徴とする請求項１記載の半透過型液晶表示装置用カラーフィルタの製造方法。
【請求項３】
前記着色層の形成後に、上記露出した透明部周辺の着色層の角を研磨除去することを特徴とする請求項１、又は請求項２記載の半透過型液晶表示装置用カラーフィルタの製造方法。
【発明の詳細な説明】
【０００１】
【発明の属する技術分野】
本発明は、液晶表示装置用カラーフィルタの製造方法に関するものであり、特に、一画素中の着色画素が、一画素中の光透過領域に形成された着色層と、光反射領域に形成され、透明部を有する着色層とで構成されるカラーフィルタを精度よく、廉価に製造することのできる半透過型液晶表示装置用カラーフィルタの製造方法に関する。
【０００２】
【従来の技術】
液晶表示装置は自発光型の表示装置ではないので、その表示には他からの光を必要とし、例えば、その後方にバックライトを設け、後方からの光によって表示を行っている。このような液晶表示装置は透過型液晶表示装置と称され、主に屋内のような暗い環境下で用いられる。
また、例えば、その後方に光反射層を設け、液晶表示装置を観視する際の周囲からの外光によって表示を行う液晶表示装置がある。このような液晶表示装置は反射型液晶表示装置と称され、主に屋外のような周囲が明るい環境下で用いられる。
【０００３】
上記透過型液晶表示装置においては、その後方に設けられたバックライトからの光はカラーフィルタの着色画素を透過し、液晶表示装置が観視される前方の外部へ射出されるようになっている。
この際の着色画素の分光透過率は、例えば、図５における実線で示すように、赤色の着色画素の分光透過率は波長４００〜６００ｎｍにおいては透過率が低く、波長６００〜７００ｎｍにおいては透過率が高いものが好ましいものである。
【０００４】
図６は、従来法の反射型液晶表示装置の一例を断面で示す説明図であるが、図６に示すように、反射型液晶表示装置（６０）は、対向基板（６８）、液晶（６５）、カラーフィルタ（６９）などで構成されている。図６において、対向基板（６８）は、画素表示に必要な駆動素子（図示せず）や光拡散反射性の電極層（６６）などが基板（６７）上に形成されたもので構成されている。
また、カラーフィルタ（６９）は、ガラス基板（６１）、着色画素（６２）、オーバーコート層（６３）、透明電極層（６４）などで構成されている。
【０００５】
図６において、外光（Ｌ１）は着色画素（６２）を通過し色光となり、光拡散反射性の電極層（６６）にて反射され、再び着色画素（６２）を通過して、外部へ反射光（Ｌ２）として射出されるようになっている。
このような反射型液晶表示装置用カラーフィルタの着色画素（６２）の色濃度は、透過型液晶表示装置用カラーフィルタのカラーフィルタ画素の色濃度より低い色濃度のものである。
【０００６】
これは、上記のように外部からの光は、入射の際と反射の際の２回にわたり赤色の着色画素を透過し、外部へ射出されるので、例えば、図５における点線で示すように、赤色の着色画素の分光透過率は波長４００〜６００ｎｍにおいて透過率がやや高く、波長６００〜７００ｎｍにおいても透過率がやや高いものを用いることにより、実線で示す透過型に用いられる赤色の着色画素の分光透過率と同様の効果が得られるようにしているものである。
そして、このような点線で示すような分光透過率を有する着色画素の形成は、例えば、着色画素に含まれる顔料の含有量を少なくすることにより行われている。
【０００７】
さて、液晶表示装置用カラーフィルタの着色画素の形成は、種々な方法により行われているが、感光性樹脂組成物に顔料を分散させた感光性着色樹脂組成物（着色フォトレジスト）を材料として用い、フォトリソグラフィー法により着色画素を形成する顔料分散法が広く採用されている。
【０００８】
この顔料分散法、すなわち、着色フォトレジストを用いフォトリソグラフィー法により、上記のような反射型液晶表示装置用カラーフィルタの着色画素を形成する場合には、画素の色濃度を低くするため、その着色画素に含まれる顔料の含有量を少なくしたり、または、着色画素の厚さを薄く形成する手段が用いられている。
【０００９】
上記透過型液晶表示装置は、主に屋内のような暗い環境下で用いられるものであり、屋外のような周囲が明るい環境下では、その表示が見にくいといった欠点がある。また、上記反射型液晶表示装置は、主に屋外のような周囲が明るい環境下で用いられるものであり、屋内のような暗い環境下では、その表示が見にくいといった欠点がある。
【００１０】
このような透過型液晶表示装置、反射型液晶表示装置に対し、半透過型液晶表示装置と称される液晶表示装置は、１基の液晶表示装置において透過型と反射型の両機能を兼ね備えた液晶表示装置である。
この半透過型液晶表示装置は、屋外のような非常に明るい環境下でも、屋内のような暗い環境下でも用いることができるものであり、モバイル機器に用いられる液晶表示装置として期待されている液晶表示装置である。
【００１１】
図３は、半透過型液晶表示装置に用いられるカラーフィルタの一例を示したものであり、特に、一画素に対応する部位を拡大して示す平面図である。また、図４は、図３に示す半透過型液晶表示装置用カラーフィルタを用いた半透過型液晶表示装置の一画素の部分を示す断面説明図である。図３におけるＸ−Ｘ’線の断面が、図４に示す半透過型液晶表示装置用カラーフィルタ（３０）の断面に相当する。
【００１２】
図３、及び図４に示すように、この半透過型液晶表示装置は、半透過型液晶表示装置用カラーフィルタ（３０）、半透過型液晶表示装置用カラーフィルタ上に形成された透明電極（１４）、液晶（５０）、ＴＦＴ素子（図示せず）などが形成されたＴＦＴ基板（４０）、ＴＦＴ基板上に形成された透明電極（４１）及び反射電極（４２）で構成されている。
【００１３】
半透過型液晶表示装置用カラーフィルタ（３０）は、ガラス基板（１１）上にブラックマトリックス（１２）、着色画素（１３）が形成されたものである。また、透明電極（４１）及び反射電極（４２）はＴＦＴ素子のドレイン電極と接続されている。
１画素の領域（Ｐｘ）はブラックマトリックス（１２）を除くと、光透過領域（Ｔｒ）と光反射領域（Ｒｅ）とで構成されている。
光透過領域（Ｔｒ）は、透過型液晶表示装置として機能する領域であり、光反射領域（Ｒｅ）は、反射型液晶表示装置として機能する領域である。
【００１４】
１画素の領域（Ｐｘ）内の着色層（１５）及び透明部を有する着色層（１６）は、同一の着色層形成材料を用いて設けられた同一厚さの着色層である。図４にては、説明上、左斜線と右斜線で表記してある。また、図４中、反射電極（４２）の両端の上方が着色層（１５）と透明部を有する着色層（１６）との境界であり、鎖線で表記してある。
着色画素（１３）の光透過領域（Ｔｒ）には、その全領域に厚さＤ１の均一な着色層（１５）が形成され、また、光反射領域（Ｒｅ）には、外光が入反射する透明部（１７）を有する着色層（１６）が形成されている。
【００１５】
すなわち、１画素の領域（Ｐｘ）内では、光透過領域（Ｔｒ）の均一な着色層（１５）と、光反射領域（Ｒｅ）の透明部を有する着色層（１６）とで着色画素（１３）が構成されている。
そして、この透明部を有する着色層（１６）の厚さは、その平均厚さ（Ｄ２）で表される。尚、平坦性をもたせるため着色層（１６）の透明部（１７）には、無色透明な樹脂を充填するのが一般的である。
【００１６】
図４に示す、厚さＤ１を有する均一な着色層（１５）の分光透過率は図５に実線で示すような、例えば、赤色の着色画素の分光透過率は波長４００〜６００ｎｍにおいては透過率が低く、波長６００〜７００ｎｍにおいては透過率が高い透過型液晶表示装置に好適な分光透過率を有する。
光透過領域（Ｔｒ）においては白太矢印（Ａ）で示すバックライトからの白色光が、ＴＦＴ基板（４０）、透明電極（４１）、液晶（５０）、透明電極（１４）を経て着色画素（１３）の光透過領域（Ｔｒ）の着色層（１５）を通過し色光となり白細矢印（ａ）で示すように、外部へ射出するようになっている。
従って、この半透過型液晶表示装置のバックライトを点灯し透過型液晶表示装置として使用した際には、透過型液晶表示装置として優れた明度、彩度を有する透過カラー表示をする。
【００１７】
また、この半透過型液晶表示装置のバックライトを消灯し、屋外のような非常に明るい環境下で反射型液晶表示装置として使用した際には、光反射領域（Ｒｅ）において、斜線太矢印（Ｂ）で示す周囲からの外光が、ガラス基板（１１）、平均厚さ（Ｄ２）の、透明部を有する着色層（１６）を通過し色光となり反射電極（４２）にて反射され、斜線細矢印（ｂ）で示すように、再び外部へ射出するようになっている。
【００１８】
この際の反射光は、平均厚さ（Ｄ２）の透明部を有する着色層（１６）を２回にわたり通過しているので、その分光透過率は図５に点線で示すような、赤色の着色画素の分光透過率は波長４００〜６００ｎｍにおいて透過率がかなり高く、波長６００〜７００ｎｍにおいても透過率が高い、すなわち、反射型液晶表示装置の分光透過率として好適な分光透過率を有するものとなる。
【００１９】
このような半透過型液晶表示装置用カラーフィルタを用いることにより、透過型液晶表示装置としての優れた明度、彩度を有する透過カラー表示をし、また、反射型液晶表示装置として暗くならず、優れた明度、彩度を有する反射カラー表示をすることが可能となる。
【００２０】
図２は、上述した半透過型液晶表示装置用カラーフィルタを製造する従来の方法の一例の説明図である。この方法は、図２（ａ）に示すように、先ず、ブラックマトリックス（１２）が形成されたガラス基板（１１）上に、着色層（２５）を形成し、次に、図２（ｂ）に示すように、着色層（２５）が形成されたガラス基板（１１）上に、透明な熱硬化性樹脂（２２）を塗布、加熱し、透明部（２７）に透明樹脂を充填する方法である。
【００２１】
しかし、この方法によると、図２（ｂ’）に示すように、透明部（２７）に充填した熱硬化性樹脂（２２）の表面は平坦にならず、窪み（２３）が生じたものとなりやすい。
表面に窪みが生じたカラーフィルタは、液晶表示装置に用いた際に、液晶の配向に悪影響を及ぼすこととなり好ましいものではない。
【００２２】
従って、透明部（２７）の表面を平坦に充填する方法としては、例えば、図７（ａ）〜（ｆ）に示す方法がとられる場合がある。
すなわち、先ず、ブラックマトリックス（１２）が形成されたガラス基板（１１）上に、ネガ型無色透明フォトレジスト（７８）を塗布し、透明部（１７）を光透過させるフォトマスク（ＰＭ３）を介して露光（Ｃ）、現像処理を行い、透明部（１７）を形成する。（図７（ａ）〜（ｃ））
【００２３】
次に、透明部が形成されたガラス基板（１１）上に、ネガ型着色フォトレジスト（７９）を塗布し、着色層の部分を光透過させるフォトマスク（ＰＭ４）を介して露光（Ｃ）、現像処理を行い、着色層（１５）を形成し、均一な着色層（１５）と透明部を有する着色層（１６）とで構成される着色画素（１３）を形成するといった方法である。（図７（ｄ）〜（ｆ））
【００２４】
この方法によれば、透明部（１７）の厚さと着色層（１５）の厚さが同一で窪みのない、表面が面一な、すなわち、表面が平坦な着色画素を有するカラーフィルタが得られる。
また、この方法によれば、赤色、緑色、青色の各着色画素に設けられる透明部（１７）の大きさが同一である場合、着色層の部分を光透過させるフォトマスク（ＰＭ４）は、同一の一枚のフォトマスク（ＰＭ４）を共用し、赤色、緑色、青色の各着色画素を形成することができる。
【００２５】
しかし、この方法は、透明部の部分を光透過させるフォトマスク（ＰＭ３）と着色層の部分を光透過させるフォトマスク（ＰＭ４）の２枚のフォトマスクを使用するので、カラーフィルタを製造する際のガラス基板が大型の場合などには、透明部を有する着色層（１６）の透明部（１７）と着色層部分の境界（Ｅ）の位置関係を精度よく合わせて製造するのは困難であり、境界（Ｅ）には、着色層部分が透明部に重なった角（ツノ）や隙間が発生し、液晶の配向に悪影響を及ぼすこととなる。
【００２６】
また、この方法では、赤色、緑色、青色の各着色画素に設けられる透明部（１７）の大きさが異なる場合、着色層の部分を光透過させるフォトマスク（ＰＭ４）は、赤色、緑色、青色の各着色画素毎に異なる３枚のフォトマスクを用いて各着色画素を形成することとなり、コストの高いものとなる。
更にまた、この方法では、透明部のパターンが設けられた１枚のフォトマスク（ＰＭ４）を用いて、例えば、赤色の着色画素、すなわち、その透明部には着色層のない着色画素を形成するので、着色画素の寸法、或いは透明部寸法を露光条件を調節して制御しようとした際に、両者が同時に制御されてしまい、両者を個別に制御することは困難である。
【００２７】
【発明が解決しようとする課題】
本発明は、上記問題を解決するためになされたものであり、着色画素が光透過領域に形成された着色層と、光反射領域に形成され、透明部を有する着色層とで構成される半透過型液晶表示装置用カラーフィルタの製造において、表面が平坦で、着色層中の該透明部と着色層部分の位置精度の優れたカラーフィルタを廉価に、容易に製造することのできる半透過型液晶表示装置用カラーフィルタの製造方法を提供することを課題とするものである。
【００２８】
【課題を解決するための手段】
本発明は、一画素中の着色画素が、光透過領域に形成された着色層と、光反射領域に形成され、透明部を有する着色層とで構成される半透過型液晶表示装置用カラーフィルタの製造方法において、
１）基板上に無色透明フォトレジストを用いて透明部を形成し、
２）該透明部が形成された基板上の全面に着色フォトレジストを塗布し、フォトマスクを介して露光し、
３）基板部分上の着色フォトレジストの膜厚より薄い膜厚を有する該透明部上の着色フォトレジストを、現像によって該透明部上から選択的に剥離し、該透明部を着色フォトレジストから露出させ、ベーキングを行い、着色層を形成し、
該透明部の表面と該着色層の表面とが面一で平坦、且つ該透明部と該着色層との位置精度が優れた着色画素を有するカラーフィルタを廉価に製造することを特徴とする半透過型液晶表示装置用カラーフィルタの製造方法である。
【００２９】
また、本発明は、上記発明による半透過型液晶表示装置用カラーフィルタの製造方法において、前記フォトマスクが、透明部上の着色フォトレジストに、現像による選択的な剥離を促進させる微小孔を形成するための微小孔パターンを有するフォトマスクであることを特徴とする請求項１記載の半透過型液晶表示装置用カラーフィルタの製造方法である。
【００３０】
また、本発明は、上記発明による半透過型液晶表示装置用カラーフィルタの製造方法において、前記着色層の形成後に、上記露出した透明部周辺の着色層の角を研磨除去することを特徴とする請求項１、又は請求項２記載の半透過型液晶表示装置用カラーフィルタの製造方法である。
【００３１】
【発明の実施の形態】
以下に本発明による半透過型液晶表示装置用カラーフィルタの製造方法を、その一実施形態に基づいて説明する。
図１（ａ）〜（ｄ）は、本発明による半透過型液晶表示装置用カラーフィルタの製造方法の一実施例を示す断面図である。図１は、半透過型液晶表示装置用カラーフィルタを構成する一画素中の着色画素部分の断面を拡大して示すものである。
図１に示すように、本発明による半透過型液晶表示装置用カラーフィルタの製造方法は、例えば、ブラックマトリックス（１２）が形成された基板（１１）上に、光透過領域に形成される着色層（１５）と、光反射領域に形成され透明部を有する着色層（１６）とで構成される着色画素（１３）を有するカラーフィルタを製造する方法である。
【００３２】
先ず、ブラックマトリックス（１２）が形成された基板（１１）上に、無色透明フォトレジストを塗布し、フォトマスクを介した露光、現像、バーニングを行い透明部（１７）を形成する。図１（ａ）は透明部（１７）が形成された段階のものである。
次に、図１（ｂ）に示すように、透明部（１７）が形成された基板（１１）上の全面に着色フォトレジスト（１８）を塗布する。基板（１１）上には既にＤ３で示す厚さを有する透明部（１７）が形成されているので、基板（１１）上の全面に着色フォトレジスト（１８）を塗布すると、透明部上の着色フォトレジスト（１８Ａ）の厚さ（Ｄ４）は、基板部分上の着色フォトレジスト（１８Ｂ）の厚さ（Ｄ５）よりも薄い厚さとなる（Ｄ４＜Ｄ５）。
【００３３】
次に、図１（ｃ）に示すように、フォトマスク（ＰＭ２）を介した露光（Ｃ）を行う。図１は、例えば、赤色の一画素を拡大して示したものであり、この一画素内にはフォトマスク（ＰＭ２）を介した均一な露光がなされ、緑色、青色などが続いて形成される他色の着色画素の部分はフォトマスク（ＰＭ２）によって遮光されている。すなわち、このフォトマスク（ＰＭ２）は、緑色、青色など他色の着色画素が形成される部分を遮光し、赤色の着色画素内を露光する。
このフォトマスク（ＰＭ２）は、図７における、着色層の部分を光透過させるフォトマスク（ＰＭ４）と対比して明らかなように、一画素内で透明部と着色層とを区分けるようなパターンにはなっていない。
【００３４】
次に、露光した着色フォトレジスト（１８）に現像を行い赤色の着色画素を形成する。この際、基板部分上の着色フォトレジスト（１８Ｂ）の厚さ（Ｄ５）よりも薄い厚さ（Ｄ４）を有する透明部上の着色フォトレジスト（１８Ａ）は、現像によって透明部上から選択的に剥離し、透明部（１７）が着色フォトレジスト（１８）から露出し、ベーキング後に、図１（ｄ）に示すような着色画素（１３）となる。
得られた着色画素（１３）は、透明部（１７）の表面と着色層（１５）の表面とが面一で平坦なものであり、また、境界（Ｅ）には、着色層部分が透明部に重なった角（ツノ）や隙間が生じていない。
【００３５】
尚、透明部（１７）を形成する際には、透明部（１７）の厚さ（Ｄ３）は厚めに形成しておくことが好ましい。透明部（１７）は、その形成時のベーキングによって一度熱収縮しているが、引き続く着色層の形成の際に、さらにベーキングされることになるので、透明部（１７）の厚さ（Ｄ３）は、引き続く着色層の形成による熱収縮を見越し、また、透明部上の着色フォトレジスト（１８Ａ）が剥離し易くなるように、厚めに形成しておくことが好ましい。
【００３６】
また、現像によって透明部上から剥離する透明部上の着色フォトレジスト（１８Ａ）は、図１（ｃ’）に示すように、現像による選択的な剥離を促進させる微小孔（１９）を有することが好ましい。
この微小孔（１９）は、フォトマスク（ＰＭ２）上の透明部（１７）に対応した部分に微小孔パターンを設けたフォトマスクを用いることによって容易に形成できる。
【００３７】
また、本発明においては、着色層の形成後に、露出した透明部周辺の着色層の角（ツノ）を研磨除去することを特徴とするものである。
例えば、明度を犠牲にしても彩度の高いカラーフィルタを製造する場合、図１（ｄ’）に示すように、基板部分上の着色フォトレジスト（１８Ｂ）の厚さ（Ｄ６）、及びそれに付随して透明部（１７）の厚さ（Ｄ７）が厚くなるが、これらの厚さ（Ｄ６、Ｄ７）が厚くなると、露出した透明部の周辺に着色層の角（ツノ）（２０）が生じ易い。このような着色層の角（ツノ）（２０）は、液晶配向に悪影響を及ぼすことになるので除去することが好ましい。角（ツノ）を除去する方法としては平盤研磨が好適である。
【００３８】
上記のように、本発明による半透過型液晶表示装置用カラーフィルタの製造方法においては、着色層の形成に用いるフォトマスク（ＰＭ２）は、一画素内で透明部と着色層とを区分けるようなパターンにはなっていないので、例えば、赤色、緑色、青色の各着色層に設けられる透明部の大きさが異なる場合においても、フォトマスクは、赤色、緑色、青色の各着色画素に共通した同一の一枚のフォトマスクを用いて各色着色画素を形成することができ、コストの低いものとなる。
【００３９】
また、同様に、透明部の形成に用いるフォトマスクと、各色着色画素の形成に用いるフォトマスクは異なったフォトマスクであり、透明部と各色着色画素の形成は個別に行うので、例えば、露光条件を調節して着色層の寸法、或いは透明部の寸法を制御しようとした際に、両者を個別に制御することができ、精度の高いカラーフィルタを製造することが容易になる。
また、着色画素の形成は既に形成された透明部に対するセルフアライメントであるので、透明部と着色層との位置関係は良好なものとなる。
【００４０】
【発明の効果】
本発明は、一画素中の着色画素が光透過領域に形成された着色層と、光反射領域に形成され透明部を有する着色層とで構成される半透過型液晶表示装置用カラーフィルタの製造方法において、基板上に透明部を形成し、この基板上の全面に着色フォトレジストを塗布し、フォトマスクを介して露光し、透明部上の着色フォトレジストを、現像によって透明部上から選択的に剥離し、透明部を着色フォトレジストから露出させベーキングを行い着色層を形成するので、透明部の表面と着色層の表面とが面一で平坦、且つ透明部と着色層との位置精度が優れた着色画素を有するカラーフィルタを廉価に製造する半透過型液晶表示装置用カラーフィルタの製造方法となる。
【図面の簡単な説明】
【図１】（ａ）〜（ｄ）は、本発明による半透過型液晶表示装置用カラーフィルタの製造方法の一実施例を示す断面図である。
【図２】半透過型液晶表示装置用カラーフィルタを製造する従来の方法の一例の説明図である。
【図３】半透過型液晶表示装置に用いられるカラーフィルタの一例を示したものであり、特に、一画素に対応する部位を拡大して示す平面図である。
【図４】図３に示す半透過型液晶表示装置用カラーフィルタを用いた半透過型液晶表示装置の一画素の部分を示す断面説明図である。
【図５】透過型液晶表示装置用及び反射型液晶表示装置用カラーフィルタの赤色の着色画素の分光透過率を示した説明図である。
【図６】従来法における反射型液晶表示装置の一例を断面で示す説明図である。
【図７】（ａ）〜（ｆ）は、半透過型液晶表示装置用カラーフィルタを製造する方法の一例の説明図である。
【符号の説明】
１１…ガラス基板
１２…ブラックマトリックス
１３、６２…着色画素
１４…透明電極
１５…光透過領域の均一な着色層
１６…光反射領域の透明部を有する着色層
１７、２７…透明部
１８…着色フォトレジスト
１８Ａ…透明部上の着色フォトレジスト
１８Ｂ…基板部分上の着色フォトレジスト
１９…微小孔
２０…着色層の角（ツノ）
２２…熱硬化性樹脂
２３…窪み
２５…着色層
３０…半透過型液晶表示装置用カラーフィルタ
４０…ＴＦＴ素子などが形成されたＴＦＴ基板
４１…ＴＦＴ基板上に形成された透明電極
４２…ＴＦＴ基板上に形成された反射電極
５０、６５…液晶
６０…反射型液晶表示装置の一例
６１…ガラス基板
６３…オーバーコート層
６４…透明電極層
６６…光拡散反射性の電極層
６７…基板
６８…対向基板
６９…カラーフィルタ
７８…ポジ型無色透明フォトレジスト
７９…ネガ型着色フォトレジスト
Ａ…バックライトからの白色光
Ｂ…周囲からの外光
Ｌ１…外光
Ｌ２…反射光
ＰＭ２…本発明における着色画素の部分を光透過させるフォトマスク
ＰＭ３…透明部の部分を光透過させるフォトマスク
ＰＭ４…着色層の部分を光透過させるフォトマスク
Ｄ１…着色層の厚さ
Ｄ２…透明部を有する着色層の平均厚さ
Ｄ３…透明部の厚さ
Ｄ４…透明部上の着色フォトレジストの厚さ
Ｄ５…基板部分上の着色フォトレジストの厚さ
Ｄ６…基板部分上の厚さの厚い着色フォトレジストの厚さ
Ｄ７…透明部の厚さ
Ｅ…透明部と着色層との境界
Ｐｘ…１画素の領域
Ｒｅ…光反射領域
Ｔｒ…光透過領域
【図１】
2004212846.tif 000003
【図２】
2004212846.tif 000004
【図３】
2004212846.tif 000005
【図４】
2004212846.tif 000006
【図５】
2004212846.tif 000007
【図６】
2004212846.tif 000008
【図７】
2004212846.tif 000009